(57)【要約】【課題】複数種類のＷＤＭフィルターを，余長の光ケーブルの収容に邪魔にならないように効率的及び省スペースで保持する。 【解決手段】基板上面から第１の所定間隔を隔てて対向配置するように突設した一対の係止片によって，第１のＷＤＭフィルターを着脱自在に挟着保持するための支持部を，第１の所定間隔における中心線上に所定の間隔を隔て２組配設した第１の支持部と，基板上面から第１の所定間隔より広い第２の所定間隔を隔てて対向配置すると共に，第１の支持部より基板上面から高く突設した一対の係止片によって，第２のＷＤＭフィルターホルダを着脱自在に挟着保持するための支持部を，第２の所定間隔における中心線上に所定の間隔を隔て２組配設した第２の支持部とから成り，第１の支持部の中心線と第２の支持部の中心線とは同一線上にあり，第１のＷＤＭフィルターと第２のＷＤＭフィルターは，前記基板上に重合しないで配設する。【選択図】  図１１
2007057806.tif 000002
【特許請求の範囲】
【請求項１】
ケースには，余長の光ファイバを収納するための光ファイバ収容部を備えている光受信機において，
上記光ファイバ収容部は，
基板の上面に対し周囲に光ファイバの添付を可能とし，前記光ファイバを安全曲率の範囲内の小さい曲率で収納できるように構成されていると共に，前記光ファイバの添付をする基板の上面には，該基板から突設させたＷＤＭフィルターホルダ，が形成され，
前記ＷＤＭフィルターホルダは，少なくとも，
前記基板上面から第１の所定間隔を隔てて対向配置するように突設した一対の係止片によって，第１のＷＤＭフィルターを着脱自在に挟着保持するための支持部を，前記第１の所定間隔における中心線上に所定の間隔を隔てて少なくとも２組配設してなる第１の支持部と，
前記基板上面から前記第１の所定間隔より広い第２の所定間隔を隔てて対向配置すると共に，前記第１の支持部より基板上面から高く突設した一対の係止片によって，第２のＷＤＭフィルターホルダを着脱自在に挟着保持するための支持部を，前記第２の所定間隔における中心線上に所定の間隔を隔てて少なくとも２組配設してなる第２の支持部と，
から成り，
前記第１の支持部の中心線と前記第２の支持部の中心線とは同一線上となるように配設されると共に，前記第１のＷＤＭフィルターと前記第２のＷＤＭフィルターが挟着保持される位置は，前記基板に直交する方向に相互に重合しないように配設される事を特徴とした光受信機の光ファイバ収容部におけるＷＤＭフィルターホルダ。
【請求項２】
前記第２のＷＤＭフィルターは，前記第２の支持部に挟着保持されると共に，該第２のＤＭフィルターの下面が，前記第１の支持部の先端部に形成した受止面によって支持される，ように構成したことを特徴とした請求項１に記載の光受信機の光ファイバ収容部におけるＷＤＭフィルターホルダ。
【請求項３】
前記第１のＷＤＭフィルターは，前記第１の支持部に挟着保持されると共に，該第１のＤＭフィルターの下面が，前記基板の上面に形成した第３の支持部によって支持される，ように構成したことを特徴とした請求項１又は請求項２の何れか一項に記載の光受信機の光ファイバ収容部におけるＷＤＭフィルターホルダ。
【発明の詳細な説明】
【技術分野】
【０００１】
本発明は，光受信機における光ファイバ収容部に対して，光ファイバを収納する場合に利用できるＷＤＭフィルターホルダの構造に関する。
【背景技術】
【０００２】
従来からの光受信機においては，ケースに対して引き込んだ光ケーブルと，引き出し側の光ケーブルとの接続作業を行う場合には，両者の接続を特殊な工具を用いて接続する関係から，光ケーブルの被服を除去した後の光ファイバの長さが夫々数十センチ必要となる。そのため，両者の接続作業を終えた光ファイバの余分な長い部分である余長部分の処理をしなければならない。この場合，光ファイバは一定の曲率よりも小さく巻き込むと光ファイバの組織が破壊する危険がある。そこで従来では，安全を見込んで光ケーブルや，光ファイバを図１，図２によく示されるような光ファイバ収納部が提案されており，コンパクトな外径形状であっても，光ファイバや光ケーブルの余長部分を，右巻きに巻いたり左巻きに巻いたり，小嵩に収納したり，と言った多数の態様の巻き方を適宜選択利用することができ，光ファイバの余りの長さが大きく，しかも，ループ状で，そのループの長さが適当で定かでない場合でも，光ファイバを仕上がりよく巻き付け，格好の良い仕上がりにすることが可能で，しかも上記態様の巻き方は，緩く巻き付けても，きつく巻き付けても，巻枠の安全曲率以下にはならないので，光ファイバの曲率が小さくなって損傷することを気にしなくても，必ず安全曲率以上の曲率で巻くことができるようになる収容部が提案されている。
（例えば，特許文献１，特許文献２参照）
【０００３】
【特許文献１】特開２００５−２４７６０号公報
【発明の開示】
【発明が解決しようとする課題】
【０００４】
しかし，図１及び図２に示されるように，コンパクトな外径形状であっても，光ファイバや光ケーブルの余長部分を，右巻きに巻いたり左巻きに巻いたり，小嵩に収納したり，多数の態様の巻き方を適宜選択利用することができ，光ファイバの余りの長さが大きく，しかも，ループ状で，そのループの長さが適当で定かでない場合でも，光ファイバを仕上がりよく巻き付け，格好の良い仕上がりにすることが可能で，しかも上記態様の巻き方は，緩く巻き付けても，きつく巻き付けても，巻枠の安全曲率以下にはならないので，光ファイバの曲率が小さくなって損傷することを気にしなくても，必ず安全曲率以上の曲率で巻くことができるように構成された収容部であっても，上述のような光ケーブルを接続した接続部分に使われるメカニカルスプライスを保持するためのスプライスホルダを複数箇所に設ける必要があり，それの配設位置としては，光ケーブルの収納に邪魔にならないような位置に形成されている。
【０００５】
ところで，この光受信機を双方向の光伝送路に対応させる場合を考えると，光信号としては，例えば通信としての上り信号及び下り信号に夫々１３１０ｎｍ及び１４９０ｎｍの波長の光信号を使用し，テレビ信号の下り信号用として１５５０ｎｍの光り信号を使用して伝送する方法が提案されている。このような場合，前記光信号を前記波長の光信号に分波したり合成したりするＷＤＭ（Ｗａｖｅｌｅｎｇｔｈ  Ｄｉｖｉｓｉｏｎ  Ｍｕｌｔｉｐｌｅｘｉｎｇ：波長分割多重）フィルターが必要となり，このＷＤＭフィルターを，例えば本願の光受信機のように加入者端末側に設置される機器と光ファイバとの間に介設する方法も考えられるが，光受信機のケース内に収納して，ケースをスプライスボックスとして使用する方法が考えられる。
【０００６】
一般的に，このような用途に用いるＷＤＭフィルターは円筒状に形成された物が多く，加えてその直径が例えばΦ３ｍｍ及びΦ５．５ｍｍといったように複数種類あり，光受信機の内部に収納する場合にそのスペースが問題となる。即ち，例えば光ファイバ収容部に，このＷＤＭフィルターを保持固着するためのホルダを形成することを考えると，コンパクトな形状で光ファイバ収容部が形成されているので，複数個必要とする前記メカニカルスプライスホルダを適宜に配設するばかりでなく，更に加えて複数種類のＷＤＭフィルターを保持する為に夫々の大きさに対応するホルダを形成する必要が生じ，余長の光ケーブルの収容に邪魔にならないようにするために省スペースなホルダを形成・配設しなければならないといった問題があった。 
そこで本願においては，こうした問題点を解決するためになされたものであり，
その目的は，光受信機における光ファイバ収容部に好適なＷＤＭフィルターホルダを提供する事にある。
他の目的は，複数の外径形状を有するＷＤＭフィルターに対応可能な光受信機における光ファイバ収容部に好適なＷＤＭフィルターホルダを提供する事にある。
【課題を解決するための手段】
【０００７】
上記課題を解決するために，請求項１の発明はケースには，ケースには，余長の光ファイバを収納するための光ファイバ収容部を備えている光受信機において，
上記光ファイバ収容部は，基板の上面に対し周囲に光ファイバの添付を可能とし，前記光ファイバを安全曲率の範囲内の小さい曲率で収納できるように構成されていると共に，前記光ファイバの添付をする基板の上面には，該基板から突設させたＷＤＭフィルターホルダ，が形成され，前記ＷＤＭフィルターホルダは，少なくとも，前記基板上面から第１の所定間隔を隔てて対向配置するように突設した一対の係止片によって，第１のＷＤＭフィルターを着脱自在に挟着保持するための支持部を，前記第１の所定間隔における中心線上に所定の間隔を隔てて少なくとも２組配設してなる第１の支持部と，前記基板上面から前記第１の所定間隔より広い第２の所定間隔を隔てて対向配置すると共に，前記第１の支持部より基板上面から高く突設した一対の係止片によって，第２のＷＤＭフィルターホルダを着脱自在に挟着保持するための支持部を，前記第２の所定間隔における中心線上に所定の間隔を隔てて少なくとも２組配設してなる第２の支持部と，から成り，前記第１の支持部の中心線と前記第２の支持部の中心線とは同一線上となるように配設されると共に，前記第１のＷＤＭフィルターと前記第２のＷＤＭフィルターが挟着保持される位置は，前記基板に直交する方向に相互に重合しないように配設されるように構成される。
【０００８】
請求項２の発明は，請求項１に記載の光受信機の光ファイバ収容部におけるＷＤＭフィルターホルダ構造において，前記第２のＷＤＭフィルターは，前記第２の支持部に挟着保持されると共に，該第２のＤＭフィルターの下面が，前記第１の支持部の先端部に形成した受止面によって支持される，ように構成した。
【０００９】
請求項３の発明は，請求項１又は請求項２の何れか一項に記載の光受信機の光ファイバ収容部におけるＷＤＭフィルターホルダ構造において，前記第１のＷＤＭフィルターは，前記第１の支持部に挟着保持されると共に，該第１のＤＭフィルターの下面が，前記基板の上面に形成した第３の支持部によって支持される，ように構成した。
【発明の効果】
【００１０】
請求項１の発明によれば，請求項１の発明はケースには，ケースには，余長の光ファイバを収納するための光ファイバ収容部を備えている光受信機において，
上記光ファイバ収容部は，基板の上面に対し周囲に光ファイバの添付を可能とし，前記光ファイバを安全曲率の範囲内の小さい曲率で収納できるように構成されていると共に，前記光ファイバの添付をする基板の上面には，該基板から突設させたＷＤＭフィルターホルダ，が形成され，前記ＷＤＭフィルターホルダは，少なくとも，前記基板上面から第１の所定間隔を隔てて対向配置するように突設した一対の係止片によって，第１のＷＤＭフィルターを着脱自在に挟着保持するための支持部を，前記第１の所定間隔における中心線上に所定の間隔を隔てて少なくとも２組配設してなる第１の支持部と，前記基板上面から前記第１の所定間隔より広い第２の所定間隔を隔てて対向配置すると共に，前記第１の支持部より基板上面から高く突設した一対の係止片によって，第２のＷＤＭフィルターホルダを着脱自在に挟着保持するための支持部を，前記第２の所定間隔における中心線上に所定の間隔を隔てて少なくとも２組配設してなる第２の支持部と，から成り，前記第１の支持部の中心線と前記第２の支持部の中心線とは同一線上となるように配設されると共に，前記第１のＷＤＭフィルターと前記第２のＷＤＭフィルターが挟着保持される位置は，前記基板に直交する方向に相互に重合しないように配設されるように構成したので，
少なくとも，２種類の外径形状を有するＷＤＭフィルターを，省スペースで挟着保持することができるホルダを提供できるばかりでなく，延いては余長の光ケーブルの収容に邪魔にならないように，本願のＷＤＭフィルターホルダに加えてメカニカルスプライスホルダを備えさせても，小型の光ファイバ収容部が実現でき，例えば光受信機等を高機能なスプライスボックスとして利用できる，優れた利便性を有する製品とすることができるのである。
【００１１】
請求項２の発明によれば，請求項１に記載の光受信機の光ファイバ収容部におけるＷＤＭフィルターホルダ構造において，前記第２のＷＤＭフィルターは，前記第２の支持部に挟着保持されると共に，該第２のＤＭフィルターの下面が，前記第１の支持部の先端部に形成した受止面によって支持される，ように構成したので，
ＷＤＭフィルターを３方向から挟着保持及び支持することができＷＤＭフィルターを確実に保持することができる。
【００１２】
請求項３の発明によれば，請求項１又は請求項２の何れか一項に記載の光受信機の光ファイバ収容部におけるＷＤＭフィルターホルダ構造において，前記第１のＷＤＭフィルターは，前記第１の支持部に挟着保持されると共に，該第１のＤＭフィルターの下面が，前記基板の上面に形成した第３の支持部によって支持される，ように構成したので，
ＷＤＭフィルターを３方向から挟着保持及び支持することができＷＤＭフィルターを確実に保持することができる。
【発明を実施するための最良の形態】
【００１３】
以下に，本発明を具体化した実施形態の例を，図面を基に詳細に説明する。図１及び図２は，ケース７におけるケース本体３と，ケース内に収納される電子機器１３及び光ファイバ収容部２４の位置関係を示す正面図及び分解斜視図である。尚，これらの図において挿通路６０の構成は，従来技術に示す挿通路を表示するものである。図３及び図４は本願の光ファイバ収容部２４と挿通路６０を示し，図５は挿通路６０における挟持具３９と，二系列の光ケーブル４１，４２の位置関係を説明する為の図で，（ａ）は挟持具を開いた状態，（ｂ）は挟持具を閉じた状態を示す一部拡大した正面図である。図６及び図７は本願の第２実施例における光ファイバ収容部２４と挿通路６０を示す。図８及び図９は挿通路の異なる実施例を示すものである。図１０は挟持具の実施例を示す拡大斜視図である。図１１はＷＤＭフィルターホルダの実施例を示す。
【実施例１】
【００１４】
図１及び図２に示されるように，３は，周知のようにオフィスビルやマンションなどの出入り口近くに設置する光受信機１におけるケース本体を示し，通常は図に示されない任意の蓋体を開閉自在に備える。４ａは蓋体の止具を示す。
ケース本体３は，天板３ｃと，天板に平行する状態で配置される結線盤３ａと，天板３ｃと結線盤３ａとの間に夫々配置される二つの側板３ｂとを角形に配置すると共に，上記天板３ｃ，結線盤及び二つの側板３ｂで囲まれる角形の空間５の一面を塞ぐように備えさせた裏側板３ｄとで構成されている。
ケース本体３の表側面には，ケース外部からケース内の光ファイバ４４等を操作するための比較的大きな開口部３ｅを備えさせ，さらに上記ケース本体の開口部３ｅに対しては開閉自在にケース本体に枢着された図には示されていない前記蓋体を被せ付けてケース７を構成し，さらに，上記ケース本体３において，外部から表側面の開口部３ｅを通してケース内５の光ファイバ４４等を操作可能とする位置には，大きな曲率で添え付け状に配置される光ファイバを受け止める為の基板２５と，光ファイバを大きな曲率で基板２５に添わせた状態で配置した場合に，周方向外部に向けて光ファイバが逃げ出すのを防ぐために基板面上に柵状に配設した周壁５８，２７等で構成される光ファイバ収容部２４を備えさせている。
５は，ケース本体３における収納空間を示し，Ｏ／Ｅ変換手段を備える光受信部１３と，余長の光ファイバ４４等を収容する為の収容部２４とを備えている。ケース本体３の下側の結線盤３ａは，例えば底部３ｄ，側部３ｂを含む本体部分とプラスチック材で一体に又は各別材を組み合わせて形成してある。結線盤３ａに備える８，９は公知のテレビ信号を取り出す為の出力端子突出口を示す。
【００１５】
次に，図３，４，５に示されるように，結線盤３ａより突出する方向に設けられている光ケーブル挿通孔６を備えた挿通路６０について説明する。尚，本願の実施例では光ケーブル挿通口６は基板２５と一体的に形成した例（詳細は後述する）を示したが，別体で構成しても良いし，前記結線盤３ａや図示されない蓋体に形成してもよい等，実施例に限定されるものではない。
挿通路６０は，基板２５の一部を凹陥させた形状であって，光ケーブル４１，４２を沿わせる下面６２ｃ（前記光ケーブル挿通孔６から見て奥部には，基板２５の上面に向けて光ケーブル４１を案内するための緩やかな上り斜面Ｒ１を有する）と，相互に対向する両側面を備えた溝部２６０を形成している。
溝部２６０における前記光ケーブル挿通口６の近くには上下から光ケーブル４１，４２を挟み付けるために上下の当たり面に弾力部材を備える挟着用部材から成る挟着具３９が配設されており，挿着された光ケーブル４１，４２を着脱自在に保持している。
【００１６】
この実施例に示す挟着具３９は図１０（ｃ）の斜視図によく示されるように，光ケーブル４１，４２の軸線に対して直交する方向を長手方向とする押圧片３９ａと，押圧片３９ａの一端側にあって，該押圧片の開閉操作を行うために押圧片３９ａに直交するよう立設した操作片３９ｂと，押圧片３９ａにおける長手方向の一方の側面側から押圧片３９ａに直交するよう立設した側壁３９ｃと，から構成されている。この挟持具３９の異なる実施例を（ａ），（ｂ）に示す。
押圧片３９ａの光ケーブルの当たり面には弾性部材７１ａ，７２ａが両側の対称位置で，夫々間隔を隔てて配設されている。尚，弾性部材７１ａ，７２ａは光ケーブル４１，４２に対応するように配設されているのであるが，弾性部材７１ａ，７２ａは一体で形成してもよい。
【００１７】
前記押圧片３９ａの他端側には，該押圧片の両側側方から長手方向に突設した枢着片１３９，１３９が形成されている。該枢着片１３９，１３９の先端部には外方向に向かって枢着軸１３９ａ，１３９ａが形成されている。この枢着軸１３９ａ，１３９ａは，基板２５に形成された枢着孔１２５，１２５（一方は図には示されない）を備えた枢着部に枢着されており，この枢着部において挟着具３９が開閉自在となるように取付けられている。
【００１８】
次に，前記挟持具３９の押圧片３９ａに備えた前記弾性部材７１ａ，７２ａに対向する下面６２ｃには，挟持具３９を閉じた状態にした時に，挟持具側弾性部材７１ａ，７２ａの一部を受入れると共に，底部に弾性部材７１ｂ，７２ｂを備えた凹部が形成されており，該凹部において光ケーブル４１，及び４２の左右方向（光ケーブルの挿入方向に対して）の位置決めが行われると共に，この位置において挟圧保持するように構成されている。尚，本願の実施例においては，前記弾性部材７１ｂ，７２ｂと凹部とで請求孔に記載の当付部１６２，１６２を構成している。 また，下面６２ｃと挟持具３９の固着手段として，固着ねじを用いて締着する例を示したが，特にこの実施例に限定されるものではない。また，当付部１６２，１６２は光ケーブル４１及び４２の本数に対応するように両側の対称位置で，夫々間隔を隔てて配設されるように形成したが，１つの当付部であってもよい等，特に実施例に限定されるものではない。
【００１９】
次に本願の実施例における前記光ケーブル挿通口６の詳細について説明する。この実施例では，光ケーブル挿通口６は筒状の突出孔１０６と，該突出筒１０６に対して直交するように形成され前記結線盤３ａに形成した切欠部１０３に嵌合するように形成された係止部１０７から成る。この光ケーブル挿通口６には，光ケーブル４１，４２をこの光ケーブルの軸線方向に直交する方向から挿着可能となるように，突出筒１０６と係止部１０７とを連設してなるスリット１１０が形成されている。
尚，光ケーブル４１，４２を前記挟着具３９及び当付部１６２，１６２に対して夫々確実に誘導するように，突出筒１０６の内周面の下面には，該突出筒１０６と一体に形成された隔壁１０６ａを備えさせ，当付部１６２と１６２との間には隔壁６２ｆを形成すれば，光ケーブルを所定位置に確実に誘導できることができる。
【００２０】
図２に示される光受信部１３は，通常知られているように外部はシールド効果を有する金属製のケース（シャーシ）１４で構成されており，内部には，光信号をテレビ受像機用の入力信号に変換する為の手段，通常，Ｏ／Ｅ変換手段として知られている電子回路が収められている。また必要に応じては周知のように増幅回路が収まっている。光受信部１３のケース１４は任意の着脱自在に構成されたケース本体３側の取付具，例えば鈎片１０で着脱自在に保持される。ケース（シャーシ）１４の表面には，基板２５の表面よりも高くなるように高さを設定した光アダプタ２０が着脱自在に固着されている。この光アダプタ２０には，ケース１４内のＯ／Ｅ変換手段に連なる光ファイバ１７の先端に付されている光コネクタ２１ａが抜差自在に接続されている。光コネクタ２１ａはケース１４に設けた孔を通してケース１４の内に収納できるようにしても良いし，ケース１４の蓋が開閉できるように光ファイバ１７のリード線を長くしてあっても良い。１６，１６ａは周知のテレビ信号用出力端子及びテレビ信号用出力レベル測定端子の存在を示す。
【００２１】
余長の光ファイバ収容部２４において，２５は基板を示し，プラスチックなどの硬質平板材で形成してある。基板２５は任意の手段，例えばケース本体３に対して直接的に，又はケース本体３に装着されている上記のケース１４に対して着脱自在にねじ部材などを用いて装着する。図１，２に現れる２５aは基板２５から延長させたカバーを示し，リード線１７を保護する為のものである。２５ｂは基板２５の上に設けたコネクタ仮止め具の存在を示すものである。
基板２５の上面に対しては，図示のように光ファイバ４４，４５，４６，４７の添え付けを可能とする安全曲率の範囲内で小さい曲率に形成されている周壁２６ａ，２７ａを有する第１巻枠２６と，第２巻枠２７とを並置させてある。安全曲率としては光ファイバのメーカーによって種々な説があるが，一般的には半径が２０ミリメートル〜３０ミリメートルあれば安全な曲率といわれている。
【００２２】
第１巻枠２６と，第２巻枠２７とは，基板２５が合成樹脂で成型されていることによって基体２５に一体材で成型される。これらの巻枠の周壁２６ａ，２７ａには，光ファイバの滑りを止める為に，必要に応じて上下方向に長いスリットが周方向に多数配設してあってもよい。更に巻枠の平面形状は真円であっても良いし，安全曲率以上の曲率を備える楕円形であっても良い。
また，巻枠の周壁２６ａ，２７aは，基板２５とは別体で形成し，基板２５の所定位置に任意の接合手段，例えば基板２５に多数の孔を穿ち，巻枠の側から延びる多数の爪を嵌合させる手段を用いて，或いは接着剤などを用いて密着状態に装着してもよい。
２８は周壁２６ａ，２７aに添わせる光ファイバ４４，４５，４６，４７が跳ね上がるのを阻止するために予め周壁２６ａ，２７aの上部位置に均等に割り付けて配置された複数の跳止爪を示す。この跳止爪２８は周壁２６ａ，２７aの上部位置から放射方向に向けて一体材で張り出し状に備えさせてある。上記張り出し状の跳止爪における下方の基板２５には，必要に応じて，周知のように成形時に必要な型（中子）を抜き出す為に透孔を設けておくとよい。
【００２３】
上記基板２５の上面に対し，前述のごとく並置されている第１巻枠２６と，第２巻枠２７について説明する。これらの並置の状態は，第１巻枠２６と第２巻枠２７の夫々の中心点位置２６ｆ，２７ｆを中心にして，上記安全曲率が得られる半径で描かれる円弧（周壁２６ａ，２７ａの外周面とほぼ一致する）の一部が半径方向において相互に重合２６７するように，第１巻枠２６と，第２巻枠２７の中心点位置２６ｆ，２７ｆを相互に近づけてある。このように配置すると当然のことながら図１から明らかなように第１巻枠２６と第２巻枠２７の左右全体の幅寸法は狭くなり，専有面積は小さくなる。
【００２４】
基板２５の上面に対しては，上記第１巻枠２６と第２巻枠２７の夫々の小さい曲率を有する周壁２６ａ，２７ａの外周から遠く離れた位置に，第１巻枠２６と第２巻枠２７を取り囲むように，相互に適当な間隔を隔てて複数個所において光ファイバの外周位置規制用の跳止壁２９ｂを夫々自立状に並設してある。外周位置規制用の跳止壁２９ｂが並設してある位置は，第１巻枠２６と第２巻枠２７の周壁２６ａ，２７ａから大きな間隙を隔てて光ファイバを大きな曲率で配置することを許容するように選定してある。上記跳止壁２９ｂの上部には夫々対応する第１巻枠２６と，第２巻枠２７に向けて延出させた爪２９ａを備えさせ，光ファイバが上方に向けて跳ね上がらないように形成してある。
【００２５】
これらの複数の爪２９ａと，上記複数の跳止爪２８との配列は，図１に示してあるように平面形状において，跳止爪２８の先端と，複数の爪２９ａの先端が相互に入り組んだ状態に配置されている。このことは光ファイバ４４，４５，４６，４７が第１巻枠２６と第２巻枠２７の夫々の周壁２６ａ，２７ａから近い位置にて巻かれた場合は，複数の跳止爪２８によってその浮き上がりは防止され，光ファイバが曲率半径大きく，夫々の周壁２６ａ，２７ａから離れた遠い位置に巻かれた場合は，複数の爪２９ａによってその浮き上がりは防止され，図１のように光ファイバが直線状態或いはやや湾曲した状態では，上方に向けて飛び出すことができないように交互に入れ込み状態で配列してある。
【００２６】
基板２５の上面において，３４，３５は公知の第１と第２のスプライスホルダの存在を示し，光ファイバ４４と４７，４５と４６とを夫々接続するための公知の第１と第２のメカニカルスプライス３６，３７を着脱自在に保持する為のものである。
配設位置としては，邪魔にならないように図１における第１巻枠２６と第２巻枠２７の中間位置の上方に選定してある。
基板２５において，基板２５の上面とほぼ同じ高さに配設してある光アダプタ２０が存在する隅部は，基板２５を欠如させ，光ファイバ４７の自由端に付着させた光コネクタ２１ｂを光アダプタ２０の受口２２に着脱自在に接続できるようにしてある。
【００２７】
次に，基板の上面において，８０はＷＤＭ（Ｗａｖｅｌｅｎｇｔｈ  Ｄｉｖｉｓｉｏｎ  Ｍｕｌｔｉｐｌｅｘｉｎｇ：波長分割多重）フィルターホルダである。
このＷＤＭフィルターは，双方向の光伝送路を考えた場合に，例えば通信としての上り信号及び下り信号に夫々１３１０ｎｍ及び１４９０ｎｍの波長の光信号を使用し，テレビ信号の下り信号用として１５５０ｎｍの光り信号を使用して伝送されている場合に，例えば本願の光受信機のように加入者端末側に設置される機器と光ファイバとの間に介設して，前記波長の光信号に分波したり合成したりするものであり，本願の実施例では光受信機に備えた光ファイバ収容部２４に，このＷＤＭフィルターを保持固着するためのホルダ８０が形成されている。 
【００２８】
本願のＷＤＭフィルターホルダ８０の詳細な構造について説明する。図１１に良く示されるように，本願の実施例では前記基板２５上面から第１の所定間隔を隔てて対向配置するように突設した一対の係止片１８１，１８１によって，第１のＷＤＭフィルター３８Ｂを着脱自在に挟着保持するための支持部８１ａを，前記第１の所定間隔における中心線上に所定の間隔を隔て少なくとも２組配設してなる第１の支持部８１と，
前記基板２５上面から前記第１の所定間隔より広い第２の所定間隔を隔てて対向配置すると共に，前記第１の支持部８１より基板上面から離れるように高く突設した一対の係止片１８２，１８２によって，第２のＷＤＭフィルター３８Ａを着脱自在に挟着保持するための支持部８２ａを，前記第２の所定間隔における中心線上に所定の間隔を隔て少なくとも２組配設してなる第２の支持部８２とから成り，前記第１の支持部８１の中心線と前記第２の支持部８２の中心線とは同一線上に配設されることによって，前記第１のＷＤＭフィルター３８Ｂは前記第１の支持部８１に挟着保持し，前記第２のＷＤＭフィルター３８Ａは前記第２の支持部８２に挟着保持したときに，前記第１のＷＤＭフィルターと前記第２のＷＤＭフィルターは，前記基板に直交する方向に相互に重ならないように，基板２５に対して直交する方向に配設される。
【００２９】
前記第１の支持部８１における各対の係止片１８１，１８１の先端部には，夫々内方向に対向させて係止爪１８１ａ，１８１ａが形成され，前記第１の所定間隔である係止爪の先端間の間隔（Ｌ１）は，前記第１のＷＤＭフィルターの外径より僅かに小さくなるように突出させるように形成されていると共に，係止爪１８１ａ，１８１ａの下方向には前記第１のＷＤＭフィルターの外周に対応した当付面１８１ｂ，１８１ｂが夫々形成されている。
次に，前記第２の支持部８２における各対の係止片１８２，１８２の先端部においても，夫々内方向に対向させて係止爪１８２ａ，１８２ａが形成され，前記第２の所定間隔である係止爪の先端間の間隔（Ｌ２）は，前記間隔（Ｌ１）より大きく，第２のＷＤＭフィルターの外径より僅かに小さくなるように突出させるように構成されると共に，係止爪１８２ａ，１８２ａの下方向には前記第２のＷＤＭフィルターの外周に対応した当付面１８２ｂ，１８２ｂが形成されている。
尚，一般的にＷＤＭフィルターは円筒状に形成されており，一般的には直径がΦ３ｍｍ及びΦ５．５ｍｍが知られており，本願における第１の支持部８１はΦ３ｍｍに相当する第１のＷＤＭフィルター３８Ｂを挟着保持するためのもので，第２の支持部８２はΦ５．５ｍｍに相当する第２のＷＤＭフィルター３８Ａを挟着保持するためのもので，夫々の当付面１８１ｂ，１８１ｂ及び当付面１８２ｂ，１８２ｂは夫々の外周に対応するように所定のＲを有するように形成されている。
【００３０】
前記第１のＷＤＭフィルター３８Ｂの取付において，前記間隔（Ｌ１）から係止片１８１，１８１を外側方向に押し広げながら係止爪１８１ａ，１８１ａを乗り越えて支持部８１に圧入挿着され，係止片１８１，１８１が元に戻ろうとする弾性力によって挟着保持される。このとき該第１のＷＤＭフィルター３８Ｂの下面が基板上面に当接するように係止片１８１，１８１を形成しておけば，第１のＷＤＭフィルター３８Ｂの基板上面からの位置が固定されると共に確実に第１の支持部８１に保持される。ＷＤＭフィルターの取り外しも，以上の手順を逆に行えばよく，第１のＷＤＭフィルターは着脱自在に第１の支持部８１に挟着保持されるのである。
次に，前記第２のＷＤＭフィルター３８Ａの取付において，前記間隔（Ｌ２）から係止片１８２，１８２を外側方向に押し広げながら係止爪１８２ａ，１８２ａを乗り越えて支持部８２に圧入挿着され，係止片１８２，１８２が元に戻ろうとする弾性力によって挟着保持される。このとき該第２のＷＤＭフィルターの下面が上記第１の係止片１８１，１８１の先端部に形成された受止面１８１ｃ，１８１ｃに当接するようにしておけば，第２のＷＤＭフィルターの基板上面からの位置が固定されると共に確実に第２の支持部８２に保持される。ＷＤＭフィルターの取り外しも，以上の手順を逆に行えばよく，第２のＷＤＭフィルターは着脱自在に第２の支持部８２に挟着保持されるのである。
【００３１】
更に，前記第１のＷＤＭフィルター３８Ｂを前記第１の支持部８１に挟着保持したときに，前記第１のＷＤＭフィルター３８Ｂが，前記基板２５が形成する面方向への移動を制限するように形成された一対の凸片１８３，１８３から成る第３の支持部８３を形成することによって前記第１のＷＤＭフィルター３８Ｂを取付けたときに，該第１のＷＤＭフィルター３８Ｂの下面部が第３の支持部８３に嵌合するように構成すれば第１のＷＤＭフィルターは更に安定して第１の支持部８１に保持されるのである。
【００３２】
次に，光ケーブルの出入口６近くの基板２５の上面においては，出入口６から巻枠２７に向けて大きな曲率で２芯の光ケーブル４１や，２芯（又は単芯）の光ケーブル４２の出入りを導くために緩やかに上昇するスロープが付された通路Ｒ１が形成されている。
出入口６の近くには上下から光ケーブル４１，４２を弾力的に挟み付ける為に上述に示した挟着具３９が配設されており，挿入された光ケーブル４１，４２を着脱自在に保持している。
【００３３】
図１，２に現れる構成のものに光ケーブルを敷設する作業は，光ケーブルの出入口６に形成されたスリット１１０から光ファイバ収容部２４に２芯の光ケーブル４１を挿入する。また必要に応じて２芯（又は単芯）の光ケーブル４２をも挿入し，固定する。この状態で通常知られている第１と第２のメカニカルスプライス３６，３７を利用する接続手段（他の任意周知の接続手段でもよい）を用いて夫々光ファイバを接続したり，ＷＤＭフィルターを接続する。この接続作業においては通常知られている工具を用いるので，光ファイバ４４，４５，４６，４７は比較的長くなければならない。例えば５０cm以上であることが望ましい。作業員の都合によっては１００cm以上の場合もある。
【００３４】
上記のようにして光ファイバ相互が接続された後は，図に現れているように，これらのループ状になっている余長の光ファイバ（余分な長い光ファイバ）を光ファイバ収容部２４に対して綺麗に納めなければならない。本願における光ファイバ収容部は，光ファイバ接続後，余長部分を収納する場合，右巻きに巻いたり左巻きに巻いたり，小嵩に収納したり，多数の態様の巻き方を適宜選択利用することができる事から，光ファイバの余りの長さが大きく，しかも，ループ状で，そのループの長さが適当で定かでない場合でも，光ファイバを仕上がりよく巻き付け，格好の良い仕上がりにすることが可能になる。
しかも上記態様の巻き方は夫々巻枠２６，２７に対して緩く巻き付けても，きつく巻き付けても，巻枠の安全曲率以下にはならないので，光ファイバの曲率が小さくなって損傷することを気にしなくても，必ず安全曲率以上の曲率で巻くことができるようになる。
【００３５】
なお，上記のようにして，ケース本体３の内に光受信部１３と，余長の光ファイバ収容部２４とを任意の手段で装着し，光ファイバ収容部２４に光ファイバを納めた後は通常の利用方法によって利用される。例えばケース本体３に図には示されない蓋４を被せ，通常の如く家屋に装着する。
その後は出入口６から引き出されている光ケーブル４２に例えば家屋５４内におけるメディアコンバータ５０，パソコン５１を接続して光信号を利用する。又出入口９の接続端子１６から引き出された同軸ケーブルにはセットトップボックス５２，テレビ受像機５３を接続して利用する。
【００３６】
なお，符号５８は，光ファイバを大きな曲率で配置させた場合に，外部に向けて逃げ出すのを防ぐための周壁で，内面は上記安全曲率の範囲内でカーブさせてある。この周壁５８は必要に応じて上記それぞれは独立して立設されている複数の外周位置規制用の跳止壁２９ｂと連続させて，一体に形成するとよい。
以上のように第１巻枠２６と第２巻枠２７との配置，構成を図１のように構成することにより，平面的な専有面積を著しく小さくすることができる。それにより，ケースの外形形状をより小型，コンパクトにすることが可能になる。
【００３７】
次に挿通路６０に，光ケーブルを固定する作業の一例について，例えば図１に示されている光ファイバ収容部２４に光ファイバーを納める作業を終え，それらの光ファイバー４４に連なる光ケーブル４１を固定する作業を説明する。
図５に示されるように，外部に対しても長く連なっている光ケーブル４１の中間をつまみ，ケース本体３に設けられている出入口６にスリット１１０の上方から下面６２ｃに形成した当付部１６２，１６２と挟着具３９の間に存置させる。
次に固着ねじからなる固着手段を螺着させることによって，弾性部材７１，７２を介して，挟着具３９で光ケーブル４１を挟圧し，光ケーブル４１を正確に保持することになる。
このとき挟着具３９には側壁３９ｃが形成されていることから，挟着具３９を締め付ければ，光ファイバ出入口６２形成された係止部１０７に形成されたスリット１１０はきれいに塞がれる。
尚，１０６ａは出入口６を二分し，左右の光ケーブル４１，４２を区分する為の区分片で，本願の実施例では突出筒１０６と一体に成型されている。
【００３８】
次に，図６及び図７を基に挿通路６０の第２実施例と，図８及び図９に示す挿通路６０の異なる実施例について説明する。この第２実施例では挟持具３９の側壁３９ｃが無い場合を示し，特にスリットを閉塞する必要が無い場合などに使用できる。
また図８及び図９に示す挿通路では，上記実施例に示すように光ケーブル挿通口６に突出筒１０６や係止部１０７が形成されていない場合を示し，結線盤３ａには上端部を切り欠いた切欠部１０３に対して上方から光ケーブルを挿着できるように構成したものである。
この場合，該切欠部１０３を閉塞する係止片１０７として，図には示されていない蓋体に一体的に形成したものや，ケースとは別体で形成したものを取付けるように構成すればよい。
図８と図９とは挟持具３９の異なる例を使った実施例を示しており，図８において挟持具３９は押圧片３９ａで構成され，図９において挟持具３９は押圧片３９ａと操作片３９ｂとから成り，ぞれぞれ（ａ）においては挟持具３９を閉じた状態を，（ｂ）においては挟持具３９を開いた状態を示している。
尚，図１０に上記第１実施例，第２実施例及び異なる実施例に示す挟持具３９を拡大した斜視図を示し，各実施例においてこの何れを用いて構成しても良い事は言うまでも無い。
【００３９】
以上のように，本願の光受信機における光ケーブル挿通路６０においては，前記挟持具３９は下面６２ｃに対して簡単な操作で開閉ができるように構成されていると共に，前記挟持具３９が開いた状態に有る時は，光ケーブル４１，４２を挿通路６０に対して配設するときに，光ケーブル挿通口６から先端の光ファイバを先頭にして光ファイバ収容部２４に向けて光ケーブル４１，４２を挿入する必要が無いから挿着作業が簡単にできるのである。
また，その場合，挟着具３９が大きく開いた状態にあるので，長尺の光ケーブル４１，４２を，従来例に示すように上下の挟着部材の間を通さなくてはならない事も無くなるので，挿着作業が更に改善されるのである。
またこれによって，光ケーブルの先端に予め光コネクタ等が接続されている場合であっても，光ケーブル挿通口６にスリット１１０を設けたので，このような状態にあっても，余長の光ケーブルの収納作業ができることから，作業効率の更なる改善ができ，延いては挿入作業がなくなることから出入口が小さくできケースの小型化が可能なのである。
更に，光ケーブル４１，４２が所定位置に配設されたのならば，挟持具３９を固着ねじに示される固着手段によって締め付けるのであるが，この実施例では固着ねじを一本締付るだけでよく，従来例に比べて光ケーブルの挟着工程が削減できることになるのである。
また，上述のように前記押圧片３９ａに側壁３９ｃを形成し，挟着具３９を締め付けた時に，該側壁３９ｃによって係止部１０７部分に形成されたスリット１１０が閉塞可能に構成しておけば，スリット１１０から埃などが侵入することを防止できるのである。突出筒１０６には周知の防水キャップを取付けることによって，突出筒１０６に形成されたスリットは閉塞される。
【００４０】
加えて，本願の実施例で詳細に説明したＷＤＭフィルターホルダによれば，少なくとも２種類の外径形状を有するＷＤＭフィルターを挟着保持することができる，省スペースで，且つ，収納作業においても余長の光ケーブルの収容に邪魔に成らないホルダ構造を提供できるのである。更に加えて本願のＷＤＭフィルターホルダを用いれば，該ＷＤＭフィルターホルダに加えてメカニカルスプライスホルダを備えさせても，小型の光ファイバ収容部が実現できるので，例えばこの光ファイバ収容部を光受信機に備えさせることによって，該光受信機を高機能なスプライスボックスとして利用できる，優れた利便性を有する製品とすることができるのである。 
尚，本発明は上記実施の形態に限定されるものではなく，本願の趣旨を逸脱しない範囲で各部の構成を適宜に変更して実施することも可能である。
【図面の簡単な説明】
【００４１】
【図１】ケースにおけるケース本体と，ケースの中に収納される光ファイバ収容部と挿通路の位置関係を示す従来例の正面図。
【図２】ケースにおけるケース本体と，ケースの中に収納される電子機器，光ファイバ収容部，挿通路の位置関係を示す従来例の分解斜視図。
【図３】本願の第１実施例における光ファイバ収容部，挿通路の位置関係を示す斜視図。
【図４】本願の第１実施例の前面図。
【図５】挿通路における挟持具と，二系列の光ケーブルの位置関係を説明する為の図で，（ａ）は挟持具を開いた状態，（ｂ）は挟持具を閉じた状態を示す。
【図６】本願の第２実施例における光ファイバ収容部，挿通路の位置関係を示す斜視図。
【図７】本願の第２実施例の前面図
【図８】本願の異なる実施例の一部を拡大した前面図であり，（ａ）は挟持具を閉じた状態，（ｂ）は挟持具を開いた状態を示す。
【図９】本願の異なる実施例の一部を拡大した前面図であり，（ａ）は挟持具を閉じた状態，（ｂ）は挟持具を開いた状態を示す。
【図１０】挟持具の拡大図。（ａ）は図８における挟持具，（ｂ）は第２実施例における挟持具，（ｃ）は第１実施例における挟持具である。
【図１１】ＷＤＭフィルターホルダの部分拡大図。（ａ）は図１におけるＡ−Ａ線断面図，（ｂ）は図１におけるＢ−Ｂ線から見た図であり，（ｃ）具体的な寸法を示す。
【符号の説明】
【００４２】
１…光受信機，３…ケース本体，  ３ａ…結線盤，  ３ｂ…側板，  ３ｃ…天板，  ３ｄ…裏側板，  ３ｅ…開口部，５…収納空間，６…光ケーブル挿通口，１０６…突出筒，１０６ａ…隔壁，１０３…切欠部，１０７…係止部，１１０…スリット，７…ケース，８・９…出力端子突出口，１３…光受信部，１４…ケース（シャーシ），１７…光ファイバ，２０…光アダプタ，２１…コネクタ，２４…光ファイバ収容部，２５…基板，１２５…枢着孔，２６…第１巻枠，２６ａ…周壁，２６ｆ…中心点位置，２７…第２巻枠，２７ａ…周壁，２７ｆ…中心点位置，２８…跳止爪，３４…第１スプライスホルダ，３５…第２スプライスホルダ，３６…第１メカニカルスプライス，３７…第２メカニカルスプライス，３８…ＷＤＭフィルターホルダ，３９…挟持具，３９ａ…押圧片，３９ｂ…操作片，３９ｃ…側壁，１３９…枢着片，１３９ａ…枢着軸，４１…光ケーブル，４２…光ケーブル，４４〜４７…光ファイバ，Ｒ１…光ファイバ路，５０…メディアコンバータ，５１…パソコン，５２…セットトップボックス，５３…テレビ受像機，５４…家屋，５８…周壁，６０…挿通路，２６０…溝部，６２ｃ…下面，６２ｆ…隔壁，１６２…当付部，７０…弾性部材，７１・７２…弾性部材，７３…連結部材，８０…ＷＤＭフィルターホルダ，８１…第１の支持部，１８１…係止片，１８１ａ…係止爪，１８１ｂ…当付面，１８１ｃ…受止面，８２…第２の支持部，１８２…係止片，１８２ａ…係止爪，１８２ｂ…当付面，８３…第３の支持部，１８３…凸片。
【図１】
2007057806.tif 000003
【図２】
2007057806.tif 000004
【図３】
2007057806.tif 000005
【図４】
2007057806.tif 000006
【図５】
2007057806.tif 000007
【図６】
2007057806.tif 000008
【図７】
2007057806.tif 000009
【図８】
2007057806.tif 000010
【図９】
2007057806.tif 000011
【図１０】
2007057806.tif 000012
【図１１】
2007057806.tif 000013